(57)【要約】【課題】コンピュータの負荷を低減した画像情報転送システムを提供すること。【解決手段】レイアウト対象となる画面全体をプリントする場合、画像情報送信装置は、サイズ情報、座標数情報、座標情報を有するレイアウト情報と、画像そのものを示す画像情報とを対にして、プリンタ装置へ順次送信し、プリンタ装置は、その情報をもとに、レイアウト対象となる画面全体をプリントすることができる。これにより、同一の画像が複数使用される場合も、画像情報そのものは１回送信すればよいので、レイアウト対象となる画面全体の画像情報を生成してから、まとめてプリンタ装置へ送信するよりも、送信すべき情報量を低減することができる。したがって、送信時間を短くすることができ、コンピュータの拘束時間が減少する。また、画面全体のレイアウト処理をプリンタ装置で行うため、システム全体として処理が分散化される。【選択図】図４
2008065802.tif 000002
【特許請求の範囲】
【請求項１】
第１の記憶手段と、第２の記憶手段と、送信手段とを有するとともに、
レイアウト対象となる画面全体を規定する情報であって、レイアウト対象となる画面内において用いられる画像を特定する画像特定情報と、特定の画像が前記画面内で何度使用されるかを示す座標数情報、特定の画像の大きさを示すサイズ情報、特定の画像について前記座標数情報に対応する数の画像位置を示す座標情報とを有する全体レイアウト情報を用い、
前記座標数情報、サイズ情報および座標情報は特定する画像情報と対となるように関連づけられてレイアウト情報として前記第２の記憶手段に記憶され、
前記画像情報は前記第１の記憶手段に記憶され、
前記転送手段は、前記第２の記憶手段内の前記画像特定情報が特定する画像のレイアウト情報を前記第２の記憶手段から読み出すとともに、読み出したレイアウト情報と対になっている画像情報を前記第１の記憶手段から読み出し、読み出した画像情報とレイアウト情報の対を順次プリンタ装置に送信することを特徴とする画像情報送信装置。
【請求項２】
撮影した画像から画像情報を生成する撮影手段をさらに具備し、
前記第１の記憶手段に記憶される画像情報には、前記撮影手段によって生成された画像情報が含まれていることを特徴とする請求項１に記載の画像情報送信装置。
【請求項３】
入力される全体画像情報を分割して複数の画像情報を生成して、各画像情報に対応する座標数情報、サイズ情報および座標情報を生成する全体画像分割手段を有し、
前記第１の記憶手段に記憶される画像情報には、前記全体画像分割手段によって生成された画像情報が含まれ、
前記第２の記憶手段に記憶されるレイアウト情報には、前記全体画像分割手段によって生成された画像情報と、前記座標数情報、サイズ情報および座標情報とが対となるように関連づけられたレイアウト情報が含まれていることを特徴とする請求項１または請求項２に記載の画像情報送信装置。
【請求項４】
前記画像情報とレイアウト情報の対を順次送信する前に、画像情報の送信開始を示す画像情報送信開始コマンドを前記プリンタ装置に送信し、
前記画像情報とレイアウト情報の対を全て送信した後に、画像情報の送信完了を示す画像情報送信完了コマンドを前記プリンタ装置に送信することを特徴とする請求項１乃至請求項３のいずれかに記載の画像情報送信装置。
【請求項５】
記憶手段と、受信手段と、プリント手段とを有するとともに、
レイアウト対象となる画面全体を規定する情報であって、レイアウト対象となる画面内において用いられる画像を特定する画像特定情報と、特定の画像が前記画面内で何度使用されるかを示す座標数情報、特定の画像の大きさを示すサイズ情報、特定の画像について前記座標数情報に対応する数の画像位置を示す座標情報とを有する全体レイアウト情報を用い、
前記座標数情報、サイズ情報および座標情報は特定する画像情報と対となるように関連づけられたレイアウト情報であって、
前記受信手段は、前記画像情報とレイアウト情報の対を画像情報送信装置から順次受信し、
受信した前記画像情報とレイアウト情報の対は、前記記憶手段に順次記憶され、
前記プリント手段は、前記記憶手段から前記画像情報とレイアウト情報を順次読み出し、前記画面全体をプリントすることを特徴とするプリンタ装置。
【請求項６】
画像情報の送信開始を示す画像情報送信開始コマンドを受信した後に、前記画像情報とレイアウト情報の対を順次受信し、
画像情報の送信完了を示す画像情報送信完了コマンドを受信した後に、前記プリント手段は、前記記憶手段から前記画像情報とレイアウト情報を順次読み出し、前記画面全体をプリントすることを特徴とする請求項５に記載のプリンタ装置。
【請求項７】
請求項１乃至請求項３のいずれかに記載の画像情報送信装置および請求項５に記載のプリンタ装置を有することを特徴とする画像情報転送システム。
【請求項８】
請求項４に記載の画像情報送信装置および請求項６に記載のプリンタ装置を有することを特徴とする画像情報転送システム。
【発明の詳細な説明】
【技術分野】
【０００１】
本発明は、画像情報をプリンタ装置に転送してプリントする技術に関する。
【背景技術】
【０００２】
現在、被写体の画像を撮影し、撮影された画像に対して、キャラクタ、縁取り、文章、背景画像などを合成し、さまざまなレイアウトを行った写真をシールとしてプリントするシステムがある。このようなシステムは、ゲームセンタなどの遊技場に設置され、同じ写真を友人同士で分け合うために、多くの同じ画像を１枚の用紙にプリントして、利用者に供給している。（例えば、特許文献１参照）
【０００３】
このシステムでは、一般的には被写体を撮影してからプリントするまでの処理を、(1)
撮影処理部（撮影した画像の一時保管）、(2)画像補正処理部（画像補正処理、補正した
画像の一時保管）、(3)画像レイアウト処理部（レイアウト処理、レイアウトした画像の
一時保管）、(4)プリント処理部（レイアウトした画像をプリンタに送信しプリント指示
）で構成されたコンピュータ（アプリケーション）が行っている。
【０００４】
また、これらの処理を１台のコンピュータで処理すると、負荷が重くなり動作が不安定になるため、複数のコンピュータで処理を分散させることもある。例えば、(1)撮影処理
部と(2)画像補正処理部で構成されたコンピュータと、(3)画像レイアウト処理部、(4)プ
リント処理部で構成されたコンピュータの２台を用いる。
【特許文献１】特開２００１−２８７４１８号公報
【発明の開示】
【発明が解決しようとする課題】
【０００５】
プリンタの高精細化やＣＣＤカメラなどの撮像素子の高解像度化に伴い、取り扱う画像の画像情報量が数十メガバイトと大きくなってきている。さらに、この撮影画像、画像補正した画像およびレイアウトした画像など、同時に複数枚の画像を処理する必要がある。これらの処理を安定して動作させるためには、負荷を軽減させるために複数台のコンピュータで処理を分散させる必要があるが、その結果、システム全体のコストが高騰することになる。また、レイアウトした画像は、多くの画像をまとめたものであり、画像の情報量が非常に大きく、プリンタへ送信する時間が数十秒必要となってしまう。送信中はコンピュータの処理が拘束されるため、さらに負荷が重くなってしまう。
【０００６】
本発明は、上述の事情を鑑みてなされたものであり、負荷を低減した画像情報転送システムを提供することを目的とする。
【課題を解決するための手段】
【０００７】
上述の課題を解決するため、本発明は、第１の記憶手段と、第２の記憶手段と、送信手段とを有するとともに、レイアウト対象となる画面全体を規定する情報であって、レイアウト対象となる画面内において用いられる画像を特定する画像特定情報と、特定の画像が前記画面内で何度使用されるかを示す座標数情報、特定の画像の大きさを示すサイズ情報、特定の画像について前記座標数情報に対応する数の画像位置を示す座標情報とを有する全体レイアウト情報を用い、前記座標数情報、サイズ情報および座標情報は特定する画像情報と対となるように関連づけられてレイアウト情報として前記第２の記憶手段に記憶され、前記画像情報は前記第１の記憶手段に記憶され、前記転送手段は、前記第２の記憶手段内の前記画像特定情報が特定する画像のレイアウト情報を前記第２の記憶手段から読み出すとともに、読み出したレイアウト情報と対になっている画像情報を前記第１の記憶手
段から読み出し、読み出した画像情報とレイアウト情報の対を順次プリンタ装置に送信することを特徴とする画像情報送信装置を提供する。
【０００８】
別の好ましい態様において、撮影した画像から画像情報を生成する撮影手段をさらに具備し、前記第１の記憶手段に記憶される画像情報には、前記撮影手段によって生成された画像情報が含まれていてもよい。
【０００９】
別の好ましい態様において、入力される全体画像情報を分割して複数の画像情報を生成して、各画像情報に対応する座標数情報、サイズ情報および座標情報を生成する全体画像分割手段を有し、前記第１の記憶手段に記憶される画像情報には、前記全体画像分割手段によって生成された画像情報が含まれ、前記第２の記憶手段に記憶されるレイアウト情報には、前記全体画像分割手段によって生成された画像情報と、前記座標数情報、サイズ情報および座標情報とが対となるように関連づけられたレイアウト情報が含まれていてもよい。
【００１０】
また、本発明は、記憶手段と、受信手段と、プリント手段とを有するとともに、前記受信手段は、前記画像情報とレイアウト情報の対を画像情報送信装置から順次受信し、受信した前記画像情報とレイアウト情報の対は、前記記憶手段に順次記憶され、前記プリント手段は、前記記憶手段から前記画像情報とレイアウト情報を順次読み出し、前記画面全体をプリントすることを特徴とするプリンタ装置を提供する。
【００１１】
別の好ましい態様において、前記画像情報送信装置と前記プリンタ装置を一体とした画像情報転送システムとしてもよい。
【００１２】
別の好ましい態様において、前記画像情報とレイアウト情報の対の送受信が行われる前に、画像情報の送信開始を示す画像情報送信開始コマンドを送受信し、前記画像情報とレイアウト情報の対の送受信が終了した後に、画像情報の送信完了を示す画像情報送信完了コマンドを送受信してもよい。この際は、前記プリンタ装置が画像情報送信完了コマンドを受信した後に、前記記憶手段から前記画像情報とレイアウト情報を順次読み出し、前記画面全体をプリントすればよい。
【発明の効果】
【００１３】
本発明によれば、レイアウト対象となる画面全体をプリントする場合、画像情報送信装置は、画像情報とレイアウト情報を対にして、プリンタ装置へ順次送信し、プリンタ装置は、その情報をもとに、レイアウト対象となる画面全体をプリントすることができる。これにより、同一の画像が複数使用される場合も、画像情報そのものは１回送信すればよいので、レイアウト対象となる画面全体の画像情報を生成してから、まとめてプリンタ装置へ送信するよりも、送信すべき情報量を低減することができる。したがって、送信時間を短くすることができ、コンピュータの拘束時間が減少する。また、画面全体のレイアウト処理をプリンタ装置で行うため、システム全体として処理が分散化される。そのため、それぞれの装置に用いられるコンピュータの負荷を低減でき、高性能でない安価なコンピュータを用いることで、全体として安価なシステムを構築することもできる。
【発明を実施するための最良の形態】
【００１４】
以下、本発明の一実施形態について説明する。
【００１５】
図１は、本発明の一実施形態である画像情報転送システム１００の機能構成をしめすブロック図である。画像情報転送システム１００は、画像情報送信装置１１０とプリンタ装置１２０とを有する。
【００１６】
画像情報送信装置１１０は、コマ画像情報入力部１１１、コマ画像情報保管部１１２、フレーム画像情報保管部１１３、レイアウト情報保管部１１４、情報送信部１１５を有する。
【００１７】
コマ画像情報入力部１１１は、コマ画像の画像情報を示すコマ画像情報をコマ画像情報保管部１１２に入力する機能を有している。ここで、コマ画像とは、レイアウトされる画面に必要な画像の種類うち、外部から取り込む必要がある画像であって、例えば、デジタルカメラなどで撮影された画像をいう。コマ画像情報入力部１１１としては、例えば、デジタルカメラやスキャナを用いることができる。また、コマ画像情報保管部１１２にコマ画像情報を入力するときには、事前に、コマ画像情報に対して画像処理を行っておいてもよい。
【００１８】
コマ画像情報保管部１１２には、コマ画像情報入力部１１１から入力されたコマ画像情報が記憶される。ここで、コマ画像情報には、コマ画像情報入力部から入力された順に、コマ画像情報０１、コマ画像情報０２、と番号が付けられる。
【００１９】
フレーム画像情報保管部１１３には、フレーム画像の画像情報を示すフレーム画像情報が記憶されている。ここで、フレーム画像とは、背景画像などであって、外部から取り込まなくても事前に保管しておくことができる画像である。ここで、フレーム画像情報には、フレーム画像情報０１、フレーム画像情報０２、と番号が付けられている。
【００２０】
レイアウト情報保管部１１４には、レイアウト情報が記憶されている。レイアウト情報は、サイズ情報、座標数情報、座標情報を有しており、レイアウトされる画面内に必要とされる画像の種類ごとに、当該画像に対して関連付けられて記憶されている。サイズ情報はその画像の大きさを示し、座標数情報はレイアウトされる画面内において、その画像と同一の画像の個数を示し、座標情報は、レイアウトされる画面において、その画像が配置される座標を示す。そのため、座標情報は、その画像についての座標数情報が示す数だけ存在する。
【００２１】
また、レイアウト情報は、レイアウトされる画面内にある画像の種類の数だけ存在する。このレイアウト情報をまとめて全体レイアウト情報といい、レイアウト画面全体を表している。複数の全体レイアウト情報がある場合は、利用者が所望のレイアウト画面に対応した全体レイアウト情報を選択する。
【００２２】
例えば、図２に示すようなレイアウト画面の全体レイアウト情報が選択された場合、コマ画像ａに対してのレイアウト情報は、サイズ情報は（Ｘａ，Ｙａ）、座標数情報は（２）、座標情報は（Ｘａ１，Ｙａ１）、（Ｘａ２，Ｙａ２）として関連付けられて記憶されている。他の種類の画像であるコマ画像ｂ、コマ画像ｃ、フレーム画像Ａ、フレーム画像Ｂ、フレーム画像Ｃ、フレーム画像Ｄについても、コマ画像ａと同様に、画像の種類ごとに当該画像に対して、それぞれのレイアウト情報が関連付けられて記憶されている。ここで、図３に示すように、座標情報は画像の左上の点の座標を示しており、サイズ情報は、画像の縦横の大きさを示している。
【００２３】
また、それぞれのコマ画像の画像情報は、前述したようにコマ画像情報保管部１１２に記憶されている。例えば、コマ画像ａはコマ画像情報０１、コマ画像ｂはコマ画像情報０２、コマ画像ｃはコマ画像情報０３として記憶されている。同様にして、フレーム画像Ａはフレーム画像情報０１、フレーム画像Ｂはフレーム画像情報０２として記憶されている。
【００２４】
情報送信部１１５は、プリントに必要な情報を取得してプリンタ装置１２０へ画像の種類ごとに順次送信する機能を有している。ここで、プリントに必要な情報は、コマ画像情報、フレーム画像情報、およびそれぞれの画像に対応したレイアウト情報である。また、情報送信部１１５は、情報の送信前後には、それぞれ画像情報の送信開始を示す画像情報送信開始コマンド、画像情報の送信完了を示す画像情報送信完了コマンドをプリンタ装置へ送信する機能を有している。
【００２５】
続いて、プリンタ装置１２０について、説明する。プリンタ装置１２０は、情報受信部１２１、コマンド認識部１２２、情報蓄積部１２３、レイアウト処理部１２４、プリント処理部１２５を有する。
【００２６】
情報受信部１２１は、画像情報送信装置１１０における情報送信部１１５から送信された情報を受信する機能と、受信した情報を情報蓄積部１２３へ記憶する機能とを有してい
る。
【００２７】
コマンド認識部１２２は、情報受信部１２１が受信した情報の中から画像情報送信開始コマンドを認識し、画像情報送信開始コマンドの受信以後に情報受信部１２１が受信する情報をプリントに必要な情報と認識して、その受信した情報を情報蓄積部１２３へ記憶させる機能を有している。また、コマンド認識部１２２は、情報受信部１２１に送信された情報の中から画像情報送信完了コマンドを認識すると、プリントに必要な情報の受信が完了したと判断し、それ以後に情報受信部１２１が受信した情報については情報蓄積部１２３への記憶を停止する。そして、レイアウト処理部１２４に対して、レイアウト処理を開始させる。
【００２８】
レイアウト処理部１２４は、情報蓄積部１２３に記憶されているプリントに必要な情報を取得して、画面のレイアウトを行う機能、およびレイアウトされた画面の情報をプリント処理部１２５へ送る機能を有している。
【００２９】
プリント処理部１２５は、レイアウト処理部１２４から受信した情報を元に、レイアウトされた画面をプリントする機能を有している。
【００３０】
次に、画像情報転送システム１００の動作について、図２および図４を用いて説明する。図２は、画像情報転送システム１００がプリントしようとする画面全体のレイアウトを示す図である。また、図４は、画像情報送信装置１１０の処理手順を示すフローチャートである。
【００３１】
まず、情報送信部１１５は、プリンタ装置１２０の情報受信部１２１に対して、画像情報送信開始コマンドを送信する（ステップＳ１）。プリンタ装置１２０側において、コマンド認識部１２２は、情報受信部１２１で受信した画像情報送信開始コマンドを検知して、情報受信部１２１に対して、これから受信するプリントに必要な情報を情報蓄積部１２３へ記憶させるように指示する。
【００３２】
続いて情報送信部１１５は、レイアウトに必要な画像の種類のうち、最初の画像として、例えばコマ画像ａを選択し、そのコマ画像ａに関するサイズ情報（Ｘａ，Ｙａ）と座標数情報（２）をレイアウト情報保管部１１４から取得し送信する（ステップＳ２）。一方、プリンタ装置１２０側においては、コマ画像ａのサイズ情報（Ｘａ，Ｙａ）と座標数情報（２）を情報受信部１２１で受信し、情報蓄積部１２３において記憶する。
【００３３】
続いて、情報送信部１１５は、コマ画像ａの座標情報（Ｘａ１，Ｙａ１）をレイアウト情報保管部１１４から取得し、情報受信部１２１に送信する（ステップＳ３）。一方、プリンタ装置１２０側においては、コマ画像ａの座標情報（Ｘａ１，Ｙａ１）を情報受信部１２１で受信し、情報蓄積部１２３において記憶する。
【００３４】
ここで、情報送信部１１５は座標数情報を判断し、別の座標情報を取得するか、座標情報の取得を中止するかを判断する（ステップＳ４）。コマ画像ａの座標数情報は（２）であるため、残り１つのコマ画像ａの座標情報（Ｘａ２，Ｙａ２）を取得し、情報受信部１２１に返信し（ステップＳ３）、上記と同様な方法によって、コマ画像ａの座標情報（Ｘａ２，Ｙａ２）を情報蓄積部１２３において記憶する。
【００３５】
続いて、情報送信部１１５は、コマ画像ａに対応するコマ画像情報０１をコマ画像情報保管部１１２から取得して、情報受信部１２１に送信する（ステップＳ５）。一方、プリンタ装置１２０側においては、コマ画像情報０１を情報受信部１２１で受信し、情報蓄積部１２３において記憶する。この際、コマ画像ａに対応するコマ画像情報０１に対して、
サイズ情報、座標数情報および２つの座標情報を関連付けておく。
【００３６】
このような処理を行うことで、レイアウトにコマ画像ａが２箇所使われていても、コマ画像ａに対応するコマ画像情報は１度だけ送信すればよく、情報量が少ないレイアウト情報だけを追加送信すればよい。したがって、全体として送信する情報量を少なくすることができる。
【００３７】
次に、画像情報送信装置１１０は、画面をレイアウトするために必要とされる画像の種類のうち、別の画像が残っているかどうかを判断する（ステップＳ６）。コマ画像ａ以外にも、コマ画像ｂ、コマ画像ｃ、フレーム画像Ａ、フレーム画像Ｂ、フレーム画像Ｃ、フレーム画像Ｄが残っているため、ステップＳ２へ戻り、それぞれの画像について、ステップＳ２からステップＳ６について繰り返し処理する。なお、フレーム画像Ａ、フレーム画像Ｂ、フレーム画像Ｃ、フレーム画像Ｄについては、対応する画像情報はコマ画像情報ではなくフレーム画像情報のため、ステップＳ５における画像情報の取得は、フレーム画像情報保管部１１３から行う。
【００３８】
すべての画像に関する情報の送信が終了したら、情報送信部１１５は、プリンタ１２０の情報受信部１２１に対して、画像情報送信完了コマンドを送信する（ステップＳ７）。一方、プリンタ装置１２０側において、コマンド認識部１２２は、情報受信部１２１が受信した画像情報送信完了コマンドを検知して、情報受信部１２１に対して、それ以後に受信した情報の情報蓄積部１２３への記憶を停止させ、レイアウト処理部１２４に対しては、レイアウト処理を開始させる。
【００３９】
続いて、レイアウト処理部１２４は、情報蓄積部１２３に記憶されている画像情報およびそれぞれの画像情報に関連付けられたレイアウト情報を取得し、それらの情報をもとに画面全体をレイアウトする。そして、プリント処理部１２５は、レイアウトされた画面全体をプリントする。
【００４０】
本実施形態によれば、画像情報送信装置１１０は、レイアウト対象となる画面全体をプリントするために、必要な画像ごとに画像情報とレイアウト情報を関連付け、画像情報とレイアウト情報を対にしてプリンタ装置１２０へ順次送信することができる。また、プリンタ装置１２０は、その情報をもとにして画面全体をレイアウトし、その画面全体をプリントすることができる。
【００４１】
このように、画像情報とレイアウト情報とを対にして、プリンタ装置へ順次送信することで、同一の画像が複数使用される場合も、画像情報そのものは１回送信すればよいので、レイアウト対象となる画面全体の画像情報を生成してから、まとめてプリンタ装置へ送信するよりも、送信すべき情報量を低減することができる。したがって、送信時間を短くすることができ、コンピュータの拘束時間が減少する。また、画面全体のレイアウト処理をプリンタ装置で行うため、システム全体として処理が分散化される。そのため、それぞれの装置に用いられるコンピュータの負荷を低減でき、高性能でない安価なコンピュータを用いることで、全体として安価なシステムを構築することもできる。
【００４２】
以上、本発明の実施形態について説明したが、例えば、上述した実施形態を以下のように変形して本発明を実施してもよい。
【００４３】
＜変形例１＞
実施形態においては、画面全体をレイアウトするために必要なコマ画像やフレーム画像に対応するコマ画像情報やフレーム画像情報は、それぞれ固定的であったが、これらの対応関係を変更できるように構成してもよい。この場合には、コマ画像とコマ画像情報の対
応関係を規定するテーブルおよびフレーム画像とフレーム画像情報の対応関係を規定するテーブルを用意し、そのテーブルの内容を変更可能に構成すればよい。
【００４４】
＜変形例２＞
実施形態においては、レイアウト対象となる画面全体を表す全体レイアウト情報は、事前に保管されていたが、利用者がコマ画像やフレーム画像を選択およびレイアウトして、所望の全体レイアウト情報を作成できるようにしてもよい。例えば、図１に破線で示すように、キーボードやマウスなどの操作手段と、液晶ディスプレイなどの表示手段を有したレイアウト制御部１１６を設け、表示手段に所定のレイアウトフォーマット（テンプレートなど）を表示させながら、操作手段を操作することにより、コマ画像情報保管部１１２、フレーム画像情報保管部１１３から、それぞれコマ画像情報、フレーム画像情報を選択して表示手段に表示されているレイアウトフォーマットの任意の位置に画像を貼り付け、これによってレイアウト画面を自由に生成するようにしてもよい。そして、完成したレイアウト画面の内容に応じたレイアウト情報を生成し、レイアウト情報保管部１１４に記憶すればよい。
【００４５】
＜変形例３＞
実施形態においては、コマ画像情報保管部１１２に記憶されるコマ画像情報は、コマ画像情報入力部１１１から入力され、フレーム画像情報保管部１１３に記憶されるフレーム画像情報、レイアウト情報保管部１１４に記憶されるレイアウト情報は、事前に記憶されていた。ここで、図５に示すように、画像情報送信装置１１０に、全体画像入力部１１７から入力された全体画像情報を分割して複数の画像情報を生成し、各画像情報に対応する座標数情報、サイズ情報および座標情報を生成する全体画像分割部１１８を設けて、生成した複数の画像情報をコマ画像またはフレーム画像としてコマ画像情報保管部１１２またはフレーム画像情報保管部１１３に記憶させ、生成された画像情報と、生成された座標数情報、サイズ情報および座標情報とが対となるように関連づけられたレイアウト情報をレイアウト情報保管部１１４に記憶させてもよい。このようにすると、画像情報送信装置１１０は、多様な画像についてプリンタ装置１２０への送信することができる。
【００４６】
＜変形例４＞
実施形態においては、画像情報送信装置１１０は、フレーム画像情報についてもコマ画像情報と同様にしてプリンタ装置１２０への送信を行っていた。ここで、フレーム画像情報保管部１１３に画面全体の背景を表すフレーム画像情報を記憶させておき、このフレーム画像情報をプリンタ装置１２０に送信した後に、コマ画像についての送信を行うようにしてもよい。この場合は、プリンタ装置１２０のレイアウト処理部１２４は、画面全体の背景を表すフレーム画像に上書きするようにして、コマ画像をレイアウトするようにすればよい。一般的に背景画像はイラストなどであって、写真の画像情報などに比べてデータ量が少ないため、画面全体を一括して送信しても負荷は少なく、本発明の効果を得ることができる。
【図面の簡単な説明】
【００４７】
【図１】本発明の実施形態に係る画像情報転送システムの機能構成をしめすブロック図である。
【図２】本発明の実施形態に係る画像のレイアウトの一例を示した図である。
【図３】本発明の実施形態に係る画像のサイズ情報、座標情報の説明図である。
【図４】本発明の実施形態に係る画像情報送信装置における処理手順を示すフローチャートである。
【図５】変形例３に係る画像情報転送システムの機能構成をしめすブロック図である。
【符号の説明】
【００４８】
１００…画像情報転送システム、１１０…画像情報送信装置、１１１…コマ画像情報入力部、１１２…コマ画像情報保管部、１１３…フレーム画像情報保管部、１１４…レイアウト情報保管部、１１５…情報送信部、１１６…レイアウト制御部、１１７…全体画像入力部、１１８…全体画像分割部、１２０…プリンタ装置、１２１…情報受信部、１２２…コマンド認識部、１２３…情報蓄積部、１２４…レイアウト処理部、１２５…プリント処理部
【図１】
2008065802.tif 000003
【図２】
2008065802.tif 000004
【図３】
2008065802.tif 000005
【図４】
2008065802.tif 000006
【図５】
2008065802.tif 000007